(57)【要約】第一磁石部材と、第一磁石部材とＮ極側が逆方向に配置される第二磁石部材と、上記第一磁石部材及び第二磁石部材との間に固定状態で配置されるヨークと、前記ヨークの外周に配置される誘導コイルとを備えた発電装置であって、第一磁石部材及び第二磁石部材は同期してスライド移動することにより、ヨークに流れる磁束の方向が切り換わり、誘導コイルに起電力が発生するようにして発電装置を構成する。この構成により、各種電子機器や、それらを遠隔操作するための操作用機器、操作部位などに用いられる小型形状の発電装置に関し、薄型化が図られた構成のものを提供できる。
2013084409.tif 000002
【特許請求の範囲】
【請求項１】
第一磁石部材と、
前記第一の磁石部材とＮ極側が逆方向に配置される第二の磁石部材と、
前記第一磁石部材及び前記第二磁石部材との間に固定状態で配置されるヨークと、
前記ヨークの外周に配置される誘導コイルと
を備えた発電装置であって、
前記第一の磁石部材及び前記第二の磁石部材は同期してスライド移動すると、前記ヨークに流れる磁束の方向が切り換わり、誘導コイルに起電力が発生することを特徴とする発電装置。
【請求項２】
請求項１記載の発電装置において、
前記第一磁石部材及び前記第二磁石部材のスライド移動する方向に向けて、力を加えるバネ部材または、弾性部材をさらに備えた
ことを特徴とする発電装置。
【請求項３】
請求項１記載の発電装置において、
更に、第一補助ヨークと、
第二補助ヨークと
を備え、
前記第一磁石部材は、前記ヨークおよび前記第一補助ヨークとの間に位置し、
前記第二磁石部材は、前記ヨークおよび前記第二補助ヨークとの間に位置する
ことを特徴とする発電装置。
【請求項４】
第一磁石部材と、
前記第一の磁石部材とＮ極側が逆方向に配置される第二の磁石部材と、
上記第一磁石部材及び第二磁石部材との間に配置されるヨークと、
前記ヨークの外周に配置される誘導コイルと
を備えた発電装置であって、
前記第一の磁石部材及び前記第二の磁石部材は固定され、
前記ヨークをスライド移動すると、前記ヨークに流れる磁束の方向が切り換わり、誘導コイルに起電力が発生することを特徴とする発電装置。
【請求項５】
請求項４記載の発電装置において、
更に、第一補助ヨークと、
第二補助ヨークと
を備え、
前記第一磁石部材は、前記ヨークおよび前記第一補助ヨークとの間に位置し、
前記第二磁石部材は、前記ヨークおよび前記第二補助ヨークとの間に位置する
ことを特徴とする発電装置。
【発明の詳細な説明】
【技術分野】
【０００１】
本発明は、各種電子機器や、それらを遠隔操作するための操作用機器、操作部位などに用いられる小型形状の発電装置に関するものである。
【背景技術】
【０００２】
近年、各種電子機器や、それらを遠隔操作するための操作用機器、操作部位などにおいては、内蔵した電池で動作するものも増えており、機器メーカから小型形状に構成された発電装置の開発要望をされることが多くなってきた。【０００３】
以下に、図１０を用いて、従来の発電装置について説明する。【０００４】
図１０は、従来の発電装置を模式的に示す図である。図１０に示すように、従来の発電装置１は、可動側部位となる磁石部材１０と固定側部位となるヨーク部材２０とを備えている。【０００５】
磁石部材１０は、上方側にＮ極、下方側にＳ極が位置するように配された永久磁石１１の上下面のそれぞれに、磁性体製の上板材１２、下板材１３が固着されて構成されている。そして、この磁石部材１０は、永久磁石１１の中心位置を通る回転軸線１１Ａを中心に左右方向に回動が可能となっている。【０００６】
ヨーク部材２０は、上面視コの字状に形成された磁性体製で、ケースなど（図示せず）に固定状態で配され、左脚部２１は上板材１２の左側部と下板材１３の左側部との間に挿入され、右脚部２２は上板材１２の右側部と下板材１３の右側部との間に挿入されている。また、左脚部２１と右脚部２２を繋いでいる中央部２３には誘導コイル２５が巻かれている。【０００７】
下板材１３の左側部の下面にはコイルバネ２７が配されており、これらの磁石部材１０、誘導コイル２５が巻かれたヨーク部材２０、コイルバネ２７によって、発電装置１は構成されている。【０００８】
発電装置１は、磁束変化により誘導コイル２５に誘起される起電力を取り出せるものとなっており、次にその動作説明をする。【０００９】
図１０に示す発電装置１は、磁石部材１０に対して図１０中の矢印で示すように、上板材１２の左側部上から押圧部材（図示せず）などによる力が加えられている。そして、磁石部材１０は左側が下がった状態となって停止している。つまり、上板材１２の左側部の下面がヨーク部材２０の左脚部２１に当接し、下板材１３の右側部の上面が右脚部２２に当接した状態になっている。また、コイルバネ２７は、下板材１３の左側部の下面で押されて圧縮状態になっている。第一の状態では、永久磁石１１からの磁束は、上方のＮ極から上板材１２の左側部、ヨーク部材２０の左脚部２１、中央部２３、右脚部２２、下板材１３の右側部、永久磁石１１の下方のＳ極の順で伝わっている。以下、図１０に示す状態を第一の状態と表す。【００１０】
第一の状態から、図１０中の矢印で加わっている力を除くなどすると、コイルバネ２７の圧縮状態が開放されて、磁石部材１０は回転軸線１１Ａを中心に右回りに回転動作し、下板材１３の左側部の上面がヨーク部材２０の左脚部２１に当接し、上板材１２の右側部の下面が右脚部２２に当接した状態で停止する。コイルバネ２７の圧縮状態が開放されている状態を以下、第二の状態と呼ぶ。【００１１】
第二の状態では、永久磁石１１からの磁束は、上方のＮ極から上板材１２の右側部、ヨーク部材２０の右脚部２２、中央部２３、左脚部２１、下板材１３の左側部、永久磁石１１の下方のＳ極の順で伝わるようになる。【００１２】
つまり、第二の状態では、ヨーク部材２０内における磁束の流れが第一の状態とは逆方向に流れるようになって、その磁束方向の変化に応じて誘導コイル２５には相応する所定の起電力が発生する。この起電力を誘導コイル２５両端のコイル線から取り出すことにより所定の電力が得られるようになっている。【００１３】
第二の状態から、押圧部材で押すなどして第一の状態に磁石部材１０を左回りに回動させて戻すと、このときもヨーク部材２０内における磁束の流れが第二の状態とは逆方向に流れるようになるため、それによっても誘導コイル２５には相応する所定の起電力が発生し、この起電力もコイル線から取り出すことにより所定の電力が得られるものであった。【００１４】
なお、この出願の発明に関連する先行技術文献情報としては、例えば、特許文献１が知られている。
【先行技術文献】
【特許文献】
【００１５】
【特許文献１】米国特許第７７１０２２７号明細書
【発明の概要】
【００１６】
しかしながら、従来の発電装置は、可動側部位となる磁石部材１０が回動し、それによって生じる誘導コイル２５からの起電力を取り出す構成であったため、薄型化を図ることが難しいという課題があった。
【００１７】
本発明はこのような課題を解決するものであり、薄型化を図ることができる構成とされた発電装置を提供することを目的とする。
【００１８】
上記目的を達成するために本発明は、以下の構成を有する。
【００１９】
本発明の一態様は、第一磁石部材と、第一の磁石部材とＮ極側が逆方向に配置される第二の磁石部材と、第一磁石部材及び第二磁石部材との間に固定状態で配置されるヨークと、ヨークの外周に配置される誘導コイルとを備えている。そして、第一の磁石部材及び第二の磁石部材は同期してスライド移動すると、ヨークに流れる磁束の方向が切り換わり、誘導コイルに起電力が発生する。この構成であれば、各磁石部材をスライド移動させているので、薄型構成の発電装置とすることができる。
【００２０】
本発明によれば、薄型化が図られた構成とされた発電装置を提供できる。
【図面の簡単な説明】
【００２１】
【図１】図１は、本発明の実施の形態１の発電装置における外観斜視図である。
【図２】図２は、本発明の実施の形態１の発電装置におけるカバー部材を除いて示した斜視図である。
【図３】図３は、本発明の実施の形態１の発電装置における分解斜視図である。
【図４】図４は、本発明の実施の形態１の発電装置における固定側部位の主要部の斜視図である。
【図５】図５は、本発明の実施の形態１の発電装置における可動側部位の主要部の斜視図である。
【図６】図６は、本発明の実施の形態１の発電装置における第一の状態のカバー部材を除いて示した上面図である。
【図７】図７は、本発明の実施の形態１の発電装置における第一の状態の磁石部材とヨークとの位置関係を示す模式図である。
【図８】図８は、本発明の実施の形態1の発電装置における第二の状態のカバー部材を除いて示した上面図である。
【図９】図９は、本発明の実施の形態１の発電装置における第二の状態の磁石部材とヨークとの位置関係を示す模式図である。
【図１０】図１０は、従来の発電装置を模式的に示す図である。
【発明を実施するための形態】
【００２２】
以下、本発明の実施の形態について、図面を用いて説明する。
【００２３】
（実施の形態１）
実施の形態１について、図１から図９を参照しながら説明する。図１は外観斜視図である。図２はカバー部材を除いて示した斜視図である。図３は分解斜視図である。図４は固定側部位の斜視図である。図５は可動側部位の斜視図である。図６は第一の状態におけるカバー部材を除いて示した上面図である。図７は第一の状態における磁石部材とヨークとの位置関係を示す模式図である。図８は第二の状態におけるカバー部材を除いて示した上面図である。図９は第二の状態における磁石部材とヨークとの位置関係を示す模式図である。
【００２４】
図４に示す通り、上方が矩形状に開口した箱型で樹脂からなるケース３１では、ケース３１の凹部内に、磁性体からなる棒状の中央ヨーク４１が接着剤などで固着されている。なお、以下の説明では中央ヨーク４１の長手方向に沿う方向を前後方向、平面視で直交する方向を左右方向と定義して説明する。
【００２５】
中央ヨーク４１は、ケース３１の凹部内における左右の中央位置に、長手方向が前後方向に平行に配されて固着されている（図４などを参照）。その長手側の前端部４２、後端部４３は中間部よりも大きい同一形状の四角柱状に形成されている。その前端部４２、後端部４３それぞれの左右側面は上下に垂直な平坦面となっている。
【００２６】
中央ヨーク４１の前端部４２と後端部４３との間の中間部の外周位置には、誘導コイル４５が配されている。誘導コイル４５は中央ヨーク４１に固着されている。誘導コイル４５としては、前端部４２、後端部４３の上下左右の範囲内に収まる寸法のものが用いられており、その両端のコイル線はケース３１の内底面に設けられた絡げ部に固着されてケース３１の端子に接続されている。
【００２７】
そして、ケース３１内の左端には、開口側を中央ヨーク４１に向けて上面視コの字状の第一補助ヨーク５１が接着剤などで固着されている（図４などを参照）。そのコの字の対向する辺部分は、互いに平行で右側に伸びる同一形状の四角柱状に形成されており、それら各々の先端５３、５４は、中央ヨーク４１の前端部４２、後端部４３の左側面に所定寸法をあけて対向している。この第一補助ヨーク５１の先端５３、５４も、上下に垂直な平坦面で形成されている。
【００２８】
同様に、ケース３１内の右端には、開口側を中央ヨーク４１に向けて上面視コの字状の第二補助ヨーク６１が接着剤などで固着されている（図４などを参照）。そのコの字の対向する辺部分は、互いに平行で左側に伸びる同一形状の四角柱状に形成されており、それら各々の先端６３、６４は、中央ヨーク４１の前端部４２、後端部４３の右側面に第一補助ヨーク５１側と同一寸法をあけて対向している。この第二補助ヨーク６１の先端６３、６４も、上下に垂直な平坦面で形成されている。
【００２９】
固定側部位の主要部は、以上のように構成されている。次に、この固定側部位に移動可能に組み合わせられる可動側部位について図５を参照しながら説明する。
【００３０】
図５に示す通り、可動側部位はそれぞれ棒状に形成された第一磁石部材７１及び第二磁石部材８１と、それらを保持する樹脂製で矩形枠状の駆動部材９１とが、主要部となる。
【００３１】
第一磁石部材７１は、前後方向の中央位置に直方体状の永久磁石７３を有し、その永久磁石７３の前後面それぞれに同一の四角柱状に形成された磁性体７５、７６が固着されて構成されている。ここに、永久磁石７３は、前面側がＮ極、後面側がＳ極になる向きで配されており、これによって、磁性体７５側がＮ極、磁性体７６側がＳ極になっている。全体長さは、中央ヨーク４１とほぼ同等である。なお、永久磁石７３を中央位置に配したものであれば、磁性体７５、７６が共用化できるため好ましいが、永久磁石７３の配置位置は特に限定されない。なお、磁性体７５、７６が存在しない、永久磁石のみで構成される第一磁石部材を用いてもよい。
【００３２】
第二磁石部材８１は、第一磁石部材７１と同様の構成であるが、前後方向の中央位置に配されている直方体状の永久磁石８３が永久磁石７３とは逆向きになっている点で、第一磁石部材７１と構成が異なる。つまり、第二磁石部材８１の永久磁石８３は、前面側がＳ極、後面側がＮ極になる向きで配され、その前後面それぞれに固着されている同一の四角柱状の磁性体８５側がＳ極、磁性体８６側がＮ極になっている。全体長さは、中央ヨーク４１とほぼ同等である。なお、第二磁石部材８１も、第一磁石部材７１と同様に、その構成は特に限定されないが、永久磁石８３を中央位置に配して磁性体８５、８６を共用化すると好ましい。また、永久磁石のみで第二磁石部材を構成するなどとしてもよい。
【００３３】
第一磁石部材７１と第二磁石部材８１とは、左右方向に所定間隔をあけた平行関係で位置するように並べられて、上面視矩形枠状に形成された樹脂などからなる駆動部材９１に固定されている（図５などを参照）。すなわち、第一磁石部材７１と第二磁石部材８１とは、互いに前後方向に沿う平行関係で配されており、前方側に位置する第一磁石部材７１のＮ極側と第二磁石部材８１のＳ極側が左右に上記所定間隔をあけて対向し、後方側に位置する第一磁石部材７１のＳ極側と第二磁石部材８１のＮ極側が左右に上記所定間隔をあけて対向している。なお、駆動部材９１への第一磁石部材７１と第二磁石部材８１の保持方法や固定方法は特に限定はされない。
【００３４】
第一磁石部材７１と第二磁石部材８１とを保持した駆動部材９１は、ケース３１内で左右方向に向けてスライド移動可能に組み込まれている。組み込みた状態を図２に示している。組み込み状態では、図６や図７に示すように、第一磁石部材７１と第二磁石部材８１との間に中央ヨーク４１が位置している。そして、磁石部材７１と第二磁石部材８１と中央ヨーク４１とが互いに前後方向に沿って平行関係で位置する。さらに、第一磁石部材７１は、中央ヨーク４１と第一補助ヨーク５１との間に位置し、第二磁石部材８１は、中央ヨーク４１と第二補助ヨーク６１との間に位置する。
【００３５】
図６などに示すように、この可動側部位の駆動部材９１には、枠状部分の後部中央位置に平板バネ９３の一端側を保持している。そして、平板バネ９３の他端側は後方に突出し、その先端が駆動部材９１を左右に移動操作するための操作部材９５に保持されている。操作部材９５は後方に突出する操作部を有し、その操作部はケース３１の外方に突出している。以上のように可動側部位の主要部は構成されている。
【００３６】
そして、ケース３１および駆動部材９１上を覆うように、上方から樹脂製のカバー部材９７が配されてケース３１に結合されている（図１、図３参照）。ここに、当該構成のものは、第一磁石部材７１、第二磁石部材８１がいずれも永久磁石７３、８３を有しているため、通常状態（第一の状態）では、第一磁石部材７１または第二磁石部材８１のいずれかが、中央ヨーク４１に吸着した状態であるので、可動側部位は安定した停止状態となる。以下では、図１〜図７に示した状態、つまり第一磁石部材７１と中央ヨーク４１とが吸着している状態を第一の状態として説明を続ける。
【００３７】
第一の状態では、図６に示すとおり、駆動部材９１はケース３１内の右側に位置している。そして、操作部材９５の操作部も、負荷がかかっていない平板バネ９３を介して右側に位置している。
【００３８】
第一の状態では、図６および図７に示すように、第一磁石部材７１は、磁性体７５の前端付近および磁性体７６の後端付近の各々の左側面が第一補助ヨーク５１の先端５３、５４から離間し、磁性体７５の前端付近および磁性体７６の後端付近の各々の右側面が中央ヨーク４１の前端部４２、後端部４３の左側面に当接して吸着している。第一磁石部材７１と中央ヨーク４１との吸着箇所を、第一吸着箇所と表す。
【００３９】
第二磁石部材８１は、磁性体８５の前端付近および磁性体８６の後端付近の各々の左側面が中央ヨーク４１の前端部４２、後端部４３の右側面から離間し、磁性体８５の前端付近および磁性体８６の後端付近の各々の右側面が第二補助ヨーク６１の先端６３、６４に吸着している。第二磁石部材８１と第二補助ヨーク６１との吸着箇所を、第二吸着箇所と表す。
【００４０】
図７に示す第一の状態では、中央ヨーク４１には磁束が前端部４２から後端部４３側に向いて流れている。つまり、第一磁石部材７１の永久磁石７３からの磁束が、磁性体７５から中央ヨーク４１の前端部４２に伝わり、それが中央ヨーク４１を後端部４３側に向いて流れて、上記中央ヨーク４１の後端部４３から第一磁石部材７１の磁性体７６に戻る経路で伝わっている。本実施の形態の構成では、中央ヨーク４１での磁束が、第二磁石部材８１側からの磁束で大きく阻害されないように各磁性体の材料選択をしていると共に、第一の状態で第二磁石部材８１からの磁束は第二補助ヨーク６１を介して再び第二磁石部材８１に戻る経路となるように構成している。
【００４１】
第一の状態から操作部材９５の操作部を左方向に水平に移動操作すると、操作部材９５が同方向に移動し、それに応じて平板バネ９３が左側に撓んでいく。
【００４２】
そして、第一および第二吸着箇所の和の力より平板バネ９３の撓んだバネ力が大きくなると、第一および第二吸着箇所が離れ、上記平板バネ９３の撓みを復元するように働くバネ力も操作された方向に向けて加わりつつ、駆動部材９１が瞬時に左側に移動する。つまり第一磁石部材７１と第二磁石部材８１とが同期して左側へ水平にスライド移動する。図８及び図９に示すように、第一磁石部材７１と第二磁石部材８１とが同期して左側へ水平にスライド移動した後の状態を以下、第二の状態と表す。
【００４３】
なお、その可動側部位の左側への移動途中位置からは、第一磁石部材７１の前端付近および後端付近の各々の左側面と第一補助ヨーク５１の先端５３および５４との間の吸引力、さらに、第二磁石部材８１の前端付近および後端付近の各々の左側面と中央ヨーク４１の前端部４２および後端部４３との間の吸引力も加わるようになり、これらの吸引力も駆動部材９１が瞬時に移動することに寄与している。
【００４４】
その後、第一磁石部材７１は、前端付近および後端付近の左側面が、第一補助ヨーク５１の先端５３および５４に当接して停止し、また、それと同時に、第二磁石部材８１は、前端付近および後端付近の左側面が、中央ヨーク４１の前端部４２および後端部４３の右側面に当接して、駆動部材９１の左側への移動が停止する（第二の状態）。そして、第二の状態では、平板バネ９３は、負荷がかかっていない状態に戻って、その平板バネ９３を介して操作部材９５は左側に位置している。第二の状態を図８および図９に示す。
【００４５】
第二の状態では、図８および図９に示したように、第一磁石部材７１の前端付近および後端付近の左側面と第一補助ヨーク５１の先端５３および５４とが吸着状態となり（第三吸着箇所）、第二磁石部材８１の前端付近および後端付近の左側面と中央ヨーク４１の前端部４２および後端部４３の右側面とが吸着状態となる（第四吸着箇所）。図９に示す、第一磁石部材７１と第一補助ヨーク５１との吸着箇所を、第三吸着箇所と表し、第二磁石部材８１と中央ヨーク４１との吸着箇所を、第四吸着箇所と表す。
【００４６】
これらの箇所が吸着状態となっていることにより、可動側部位が安定した停止状態で維持されることは通常状態（第一の状態）と同様である。
【００４７】
図８および図９に示す第二の状態では、中央ヨーク４１内で磁束の流れる方向が図６及び図７に示す第一の状態とは逆方向に瞬時に切り換わっている。つまり、第二の状態では、中央ヨーク４１には、磁束が後端部４３から前端部４２側に向いて流れている。第二磁石部材８１の永久磁石８３の磁束が、磁性体８６から中央ヨーク４１の後端部４３に伝わり、それが中央ヨーク４１内を前端部４２側に向いて流れて、上記中央ヨーク４１の前端部４２から第二磁石部材８１の磁性体８５に戻る経路で伝わる。
【００４８】
なお、第二の状態でも上記の中央ヨーク４１内での磁束が、第一磁石部材７１からの磁束で大きく阻害されることがないように各磁性体の材料選択をしている。さらに、第二の状態では、第一磁石部材７１からの磁束は第一補助ヨーク５１を介して再び第一磁石部材７１に戻る経路となるように構成している点についても、第一の状態の場合と同様である。
【００４９】
以上のように、本実施の形態では、第一の状態から可動側部位を水平にスライド移動させ、第二の状態にすると、中央ヨーク４１内での磁束の流れる方向が逆方向に切り換わる。この磁束の流れの切り換わりにより、中央ヨーク４１に配された誘導コイル４５には起電力が発生する。そして、誘導コイル４５に発生した起電力を誘導コイル４５のコイル線に接続された端子（図示せず）から取り出すことができる。ここに、固定側部位となる中央ヨーク４１に誘導コイル４５を配したものとすると、コイル線と端子との接続箇所などに不要な負荷がかからなく構成できるため好ましい。
【００５０】
上記の可動側部位が左側に移動されている第二の状態から、第一の状態に戻すときの動作は、左右対称で同様の動作となるために詳細説明は省略するが、上記の戻すときの動作時にも、中央ヨーク４１内では磁束の流れる方向が瞬時に逆方向に切り換わる。それに応じて誘導コイル４５には相応する起電力が発生し、その起電力を端子（図示せず）から取り出すことができる。
【００５１】
本実施の形態では図示していないが、駆動部材９１を左右にスライド移動させるためのガイド手段を設けている。そのガイド手段の構成は特に限定はされないが、簡素な構造が好ましい。例えば、当該構成では、駆動部材９１の枠状部分の角部位置上面および下面のそれぞれに上下に突出する案内用柱状部１００を設けて、カバー部材９７の天面に設けた左右方向に伸びる直線溝（図示せず）やケース３１の内底面に設けた左右方向に伸びる直線溝１０１の中で案内させる構成としている。なお、直線溝１０１は、案内用柱状部１００の挿通代を大きくとるために、貫通状態で設けられるなどされていてもよい。当該構成のガイド手段であれば、こじり操作状態の低減効果も期待できる。
【００５２】
また、当該構成のものでは、駆動部材９１の前後面の左右端部位置に、前後方向に突出する円柱状部１０３を設けたものとし、それらの円柱状部１０３をケース３１の前後の壁部に設けた段部上に支持させた構成とすることによって、駆動部材９１が水平状態で滑らかにスライド移動するものとしているが、これらの構成は必要に応じて適宜決定すればよい。他の例として、駆動部材９１の上下面側もしくは、ケース３１の内底面やカバー部材９７の下面側に球状突起を設けて、駆動部材９１が上下方向で略点接触状態になって当接摺動される構成などであっても駆動部材が水平状態で滑らかにスライド移動するものに構成できる。
【００５３】
以上のように、当該構成では、可動側部位を左右にスライド移動させて所定の起電力が取り出せるようにしたため、上下寸法の低背化が図られた発電装置に実現することができる。
【００５４】
なお、当該構成では、平板バネ９３からのバネ力が可動側部位の移動方向に向かって加わりつつ駆動部材９１が移動される構成のものを説明したが、その他の形状のバネ部材や弾性体などを用いて同様の作用効果が得られる構成としてもよい。または、操作ストロークが短い場合などには、上記平板バネ９３や弾性体などは必ずしも必要ではなく、それらをなくした構成などとしてもよい。
【００５５】
また、配設されたバネ部材や弾性体などにより、移動後の状態から可動側部位が通常状態へ自動復帰するように構成されていてもよい。
【００５６】
なお、以上には、中央ヨーク４１が固定状態で、第一磁石部材７１と第二磁石部材８１とが同期して水平にスライド移動する構成のものを説明したが、固定側部位と可動側部位が逆の設定になってもよい。すなわち、第一磁石部材７１と第二磁石部材８１とが固定状態で配され、それらの間に配された誘導コイル４５付き中央ヨーク４１が水平にスライド移動するように構成してもよい。
【００５７】
そして、固定側部位の第一補助ヨーク５１、第二補助ヨーク６１にも誘導コイルを配して、それらに生じる起電力も取り出せる構成のものとしてもよいし、固定側部位としては第一補助ヨーク５１、第二補助ヨーク６１が配されていない構成であってもよい。
【００５８】
なお、第一磁石部材７１と第二磁石部材８１の形状は、本実施の形態では、棒状のものを用いて説明したが、この形状に限定されない。第一磁石部材７１と第二磁石部材８１の形状は、例えば、中央ヨーク４１と同様に前端部、後端部を有する形状であってもよい。中央ヨーク４１については、本実施の形態では、前端部４２および後端部４３を有するものを用いて説明したが、この形状に限定されない。中央ヨークの形状は、例えば、前端部４２、後端部４３を有さない棒状の形状でもよい。
【００５９】
また、以上には、上下寸法が低背薄型で、左右方向に操作する操作部が後方に突出するものを説明したが、操作部を駆動部材９１の上面もしくは下面に一体化させて、上記操作部が上下方向に突出した形態のものなどに構成されていてもよい。さらには、上述構成のものを縦置き状態で配した横幅の狭い形態のものなどにも本発明による構成思想は適用することが可能である。
【産業上の利用可能性】
【００６０】
本発明による発電装置は、薄型化が図られたものに構成することができるという有利な効果を有し、各種電子機器や、それらを遠隔操作するための操作用機器、操作部位などに有用である。
【符号の説明】
【００６１】
３１  ケース
４１  中央ヨーク
４２  中央ヨークの前端部
４３  中央ヨークの後端部
４５  誘導コイル
５１  第一補助ヨーク
５３，５４  第一補助ヨークの先端
６１  第二補助ヨーク
６３，６４  第二補助ヨークの先端
７１  第一磁石部材
７３  第一磁石部材の永久磁石
７５，７６  第一磁石部材の磁性体
８１  第二磁石部材
８３  第二磁石部材の永久磁石
８５，８６  第二磁石部材の磁性体
９１  駆動部材
９３  平板バネ
９５  操作部材
９７  カバー部材
１００  案内用柱状部
１０１  直線溝
１０３  円柱状部
【図１】
2013084409.tif 000003
【図２】
2013084409.tif 000004
【図３】
2013084409.tif 000005
【図４】
2013084409.tif 000006
【図５】
2013084409.tif 000007
【図６】
2013084409.tif 000008
【図７】
2013084409.tif 000009
【図８】
2013084409.tif 000010
【図９】
2013084409.tif 000011
【図１０】
2013084409.tif 000012
【手続補正書】
【提出日】平成26年5月7日(2014.5.7)
【手続補正１】
【補正対象書類名】明細書
【補正対象項目名】全文
【補正方法】変更
【補正の内容】
【発明の詳細な説明】
【技術分野】
【０００１】
本発明は、各種電子機器や、それらを遠隔操作するための操作用機器、操作部位などに用いられる小型形状の発電装置に関するものである。
【背景技術】
【０００２】
近年、各種電子機器や、それらを遠隔操作するための操作用機器、操作部位などにおいては、内蔵した電池で動作するものも増えており、機器メーカから小型形状に構成された発電装置の開発要望をされることが多くなってきた。
【０００３】
以下に、図１０を用いて、従来の発電装置について説明する。
【０００４】
図１０は、従来の発電装置を模式的に示す図である。図１０に示すように、従来の発電装置１は、可動側部位となる磁石部材１０と固定側部位となるヨーク部材２０とを備えている。
【０００５】
磁石部材１０は、上方側にＮ極、下方側にＳ極が位置するように配された永久磁石１１の上下面のそれぞれに、磁性体製の上板材１２、下板材１３が固着されて構成されている。そして、この磁石部材１０は、永久磁石１１の中心位置を通る回転軸線１１Ａを中心に左右方向に回動が可能となっている。
【０００６】
ヨーク部材２０は、上面視コの字状に形成された磁性体製で、ケースなど（図示せず）に固定状態で配され、左脚部２１は上板材１２の左側部と下板材１３の左側部との間に挿入され、右脚部２２は上板材１２の右側部と下板材１３の右側部との間に挿入されている。また、左脚部２１と右脚部２２を繋いでいる中央部２３には誘導コイル２５が巻かれている。
【０００７】
下板材１３の左側部の下面にはコイルバネ２７が配されており、これらの磁石部材１０、誘導コイル２５が巻かれたヨーク部材２０、コイルバネ２７によって、発電装置１は構成されている。
【０００８】
発電装置１は、磁束変化により誘導コイル２５に誘起される起電力を取り出せるものとなっており、次にその動作説明をする。
【０００９】
図１０に示す発電装置１は、磁石部材１０に対して図１０中の矢印で示すように、上板材１２の左側部上から押圧部材（図示せず）などによる力が加えられている。そして、磁石部材１０は左側が下がった状態となって停止している。つまり、上板材１２の左側部の下面がヨーク部材２０の左脚部２１に当接し、下板材１３の右側部の上面が右脚部２２に当接した状態になっている。また、コイルバネ２７は、下板材１３の左側部の下面で押されて圧縮状態になっている。第一の状態では、永久磁石１１からの磁束は、上方のＮ極から上板材１２の左側部、ヨーク部材２０の左脚部２１、中央部２３、右脚部２２、下板材１３の右側部、永久磁石１１の下方のＳ極の順で伝わっている。以下、図１０に示す状態を第一の状態と表す。
【００１０】
第一の状態から、図１０中の矢印で加わっている力を除くなどすると、コイルバネ２７の圧縮状態が開放されて、磁石部材１０は回転軸線１１Ａを中心に右回りに回転動作し、下板材１３の左側部の上面がヨーク部材２０の左脚部２１に当接し、上板材１２の右側部の下面が右脚部２２に当接した状態で停止する。コイルバネ２７の圧縮状態が開放されている状態を以下、第二の状態と呼ぶ。
【００１１】
第二の状態では、永久磁石１１からの磁束は、上方のＮ極から上板材１２の右側部、ヨーク部材２０の右脚部２２、中央部２３、左脚部２１、下板材１３の左側部、永久磁石１１の下方のＳ極の順で伝わるようになる。
【００１２】
つまり、第二の状態では、ヨーク部材２０内における磁束の流れが第一の状態とは逆方向に流れるようになって、その磁束方向の変化に応じて誘導コイル２５には相応する所定の起電力が発生する。この起電力を誘導コイル２５両端のコイル線から取り出すことにより所定の電力が得られるようになっている。
【００１３】
第二の状態から、押圧部材で押すなどして第一の状態に磁石部材１０を左回りに回動させて戻すと、このときもヨーク部材２０内における磁束の流れが第二の状態とは逆方向に流れるようになるため、それによっても誘導コイル２５には相応する所定の起電力が発生し、この起電力もコイル線から取り出すことにより所定の電力が得られるものであった。
【００１４】
なお、この出願の発明に関連する先行技術文献情報としては、例えば、特許文献１が知られている。
【先行技術文献】
【特許文献】
【００１５】
【特許文献１】米国特許第７７１０２２７号明細書
【発明の概要】
【００１６】
しかしながら、従来の発電装置は、可動側部位となる磁石部材１０が回動し、それによって生じる誘導コイル２５からの起電力を取り出す構成であったため、薄型化を図ることが難しいという課題があった。
【００１７】
本発明はこのような課題を解決するものであり、薄型化を図ることができる構成とされた発電装置を提供することを目的とする。
【００１８】
上記目的を達成するために本発明は、以下の構成を有する。
【００１９】
本発明の一態様は、第一磁石部材と、第一磁石部材とＮ極側が逆方向に配置される第二磁石部材と、第一磁石部材及び第二磁石部材との間に配置されるヨークと、ヨークの外周に配置される誘導コイルとを備えている。そして、第一磁石部材及び第二磁石部材が同期してスライド移動、または前記ヨークがスライド移動すると、ヨークに流れる磁束の方向が切り換わり、誘導コイルに起電力が発生する。この構成であれば、各磁石部材または、ヨークをスライド移動させているので、薄型構成の発電装置とすることができる。
【００２０】
本発明によれば、薄型化が図られた構成とされた発電装置を提供できる。
【図面の簡単な説明】
【００２１】
【図１】図１は、本発明の実施の形態１の発電装置における外観斜視図である。
【図２】図２は、本発明の実施の形態１の発電装置におけるカバー部材を除いて示した斜視図である。
【図３】図３は、本発明の実施の形態１の発電装置における分解斜視図である。
【図４】図４は、本発明の実施の形態１の発電装置における固定側部位の主要部の斜視図である。
【図５】図５は、本発明の実施の形態１の発電装置における可動側部位の主要部の斜視図である。
【図６】図６は、本発明の実施の形態１の発電装置における第一の状態のカバー部材を除いて示した上面図である。
【図７】図７は、本発明の実施の形態１の発電装置における第一の状態の磁石部材とヨークとの位置関係を示す模式図である。
【図８】図８は、本発明の実施の形態1の発電装置における第二の状態のカバー部材を除いて示した上面図である。
【図９】図９は、本発明の実施の形態１の発電装置における第二の状態の磁石部材とヨークとの位置関係を示す模式図である。
【図１０】図１０は、従来の発電装置を模式的に示す図である。
【発明を実施するための形態】
【００２２】
以下、本発明の実施の形態について、図面を用いて説明する。
【００２３】
（実施の形態１）
実施の形態１について、図１から図９を参照しながら説明する。図１は外観斜視図である。図２はカバー部材を除いて示した斜視図である。図３は分解斜視図である。図４は固定側部位の斜視図である。図５は可動側部位の斜視図である。図６は第一の状態におけるカバー部材を除いて示した上面図である。図７は第一の状態における磁石部材とヨークとの位置関係を示す模式図である。図８は第二の状態におけるカバー部材を除いて示した上面図である。図９は第二の状態における磁石部材とヨークとの位置関係を示す模式図である。
【００２４】
図４に示す通り、上方が矩形状に開口した箱型で樹脂からなるケース３１では、ケース３１の凹部内に、磁性体からなる棒状の中央ヨーク４１が接着剤などで固着されている。なお、以下の説明では中央ヨーク４１の長手方向に沿う方向を前後方向、平面視で直交する方向を左右方向と定義して説明する。
【００２５】
中央ヨーク４１は、ケース３１の凹部内における左右の中央位置に、長手方向が前後方向に平行に配されて固着されている（図４などを参照）。その長手側の前端部４２、後端部４３は中間部よりも大きい同一形状の四角柱状に形成されている。その前端部４２、後端部４３それぞれの左右側面は上下に垂直な平坦面となっている。
【００２６】
中央ヨーク４１の前端部４２と後端部４３との間の中間部の外周位置には、誘導コイル４５が配されている。誘導コイル４５は中央ヨーク４１に固着されている。誘導コイル４５としては、前端部４２、後端部４３の上下左右の範囲内に収まる寸法のものが用いられており、その両端のコイル線はケース３１の内底面に設けられた絡げ部に固着されてケース３１の端子に接続されている。
【００２７】
そして、ケース３１内の左端には、開口側を中央ヨーク４１に向けて上面視コの字状の第一補助ヨーク５１が接着剤などで固着されている（図４などを参照）。そのコの字の対向する辺部分は、互いに平行で右側に伸びる同一形状の四角柱状に形成されており、それら各々の先端５３、５４は、中央ヨーク４１の前端部４２、後端部４３の左側面に所定寸法をあけて対向している。この第一補助ヨーク５１の先端５３、５４も、上下に垂直な平坦面で形成されている。
【００２８】
同様に、ケース３１内の右端には、開口側を中央ヨーク４１に向けて上面視コの字状の第二補助ヨーク６１が接着剤などで固着されている（図４などを参照）。そのコの字の対向する辺部分は、互いに平行で左側に伸びる同一形状の四角柱状に形成されており、それら各々の先端６３、６４は、中央ヨーク４１の前端部４２、後端部４３の右側面に第一補助ヨーク５１側と同一寸法をあけて対向している。この第二補助ヨーク６１の先端６３、６４も、上下に垂直な平坦面で形成されている。
【００２９】
固定側部位の主要部は、以上のように構成されている。次に、この固定側部位に移動可能に組み合わせられる可動側部位について図５を参照しながら説明する。
【００３０】
図５に示す通り、可動側部位はそれぞれ棒状に形成された第一磁石部材７１及び第二磁石部材８１と、それらを保持する樹脂製で矩形枠状の駆動部材９１とが、主要部となる。
【００３１】
第一磁石部材７１は、前後方向の中央位置に直方体状の永久磁石７３を有し、その永久磁石７３の前後面それぞれに同一の四角柱状に形成された磁性体７５、７６が固着されて構成されている。ここに、永久磁石７３は、前面側がＮ極、後面側がＳ極になる向きで配されており、これによって、磁性体７５側がＮ極、磁性体７６側がＳ極になっている。全体長さは、中央ヨーク４１とほぼ同等である。なお、永久磁石７３を中央位置に配したものであれば、磁性体７５、７６が共用化できるため好ましいが、永久磁石７３の配置位置は特に限定されない。なお、磁性体７５、７６が存在しない、永久磁石のみで構成される第一磁石部材を用いてもよい。
【００３２】
第二磁石部材８１は、第一磁石部材７１と同様の構成であるが、前後方向の中央位置に配されている直方体状の永久磁石８３が永久磁石７３とは逆向きになっている点で、第一磁石部材７１と構成が異なる。つまり、第二磁石部材８１の永久磁石８３は、前面側がＳ極、後面側がＮ極になる向きで配され、その前後面それぞれに固着されている同一の四角柱状の磁性体８５側がＳ極、磁性体８６側がＮ極になっている。全体長さは、中央ヨーク４１とほぼ同等である。なお、第二磁石部材８１も、第一磁石部材７１と同様に、その構成は特に限定されないが、永久磁石８３を中央位置に配して磁性体８５、８６を共用化すると好ましい。また、永久磁石のみで第二磁石部材を構成するなどとしてもよい。
【００３３】
第一磁石部材７１と第二磁石部材８１とは、左右方向に所定間隔をあけた平行関係で位置するように並べられて、上面視矩形枠状に形成された樹脂などからなる駆動部材９１に固定されている（図５などを参照）。すなわち、第一磁石部材７１と第二磁石部材８１とは、互いに前後方向に沿う平行関係で配されており、前方側に位置する第一磁石部材７１のＮ極側と第二磁石部材８１のＳ極側が左右に上記所定間隔をあけて対向し、後方側に位置する第一磁石部材７１のＳ極側と第二磁石部材８１のＮ極側が左右に上記所定間隔をあけて対向している。なお、駆動部材９１への第一磁石部材７１と第二磁石部材８１の保持方法や固定方法は特に限定はされない。
【００３４】
第一磁石部材７１と第二磁石部材８１とを保持した駆動部材９１は、ケース３１内で左右方向に向けてスライド移動可能に組み込まれている。組み込みた状態を図２に示している。組み込み状態では、図６や図７に示すように、第一磁石部材７１と第二磁石部材８１との間に中央ヨーク４１が位置している。そして、磁石部材７１と第二磁石部材８１と中央ヨーク４１とが互いに前後方向に沿って平行関係で位置する。さらに、第一磁石部材７１は、中央ヨーク４１と第一補助ヨーク５１との間に位置し、第二磁石部材８１は、中央ヨーク４１と第二補助ヨーク６１との間に位置する。
【００３５】
図６などに示すように、この可動側部位の駆動部材９１には、枠状部分の後部中央位置に平板バネ９３の一端側を保持している。そして、平板バネ９３の他端側は後方に突出し、その先端が駆動部材９１を左右に移動操作するための操作部材９５に保持されている。操作部材９５は後方に突出する操作部を有し、その操作部はケース３１の外方に突出している。以上のように可動側部位の主要部は構成されている。
【００３６】
そして、ケース３１および駆動部材９１上を覆うように、上方から樹脂製のカバー部材９７が配されてケース３１に結合されている（図１、図３参照）。ここに、当該構成のものは、第一磁石部材７１、第二磁石部材８１がいずれも永久磁石７３、８３を有しているため、通常状態（第一の状態）では、第一磁石部材７１または第二磁石部材８１のいずれかが、中央ヨーク４１に吸着した状態であるので、可動側部位は安定した停止状態となる。以下では、図１〜図７に示した状態、つまり第一磁石部材７１と中央ヨーク４１とが吸着している状態を第一の状態として説明を続ける。
【００３７】
第一の状態では、図６に示すとおり、駆動部材９１はケース３１内の右側に位置している。そして、操作部材９５の操作部も、負荷がかかっていない平板バネ９３を介して右側に位置している。
【００３８】
第一の状態では、図６および図７に示すように、第一磁石部材７１は、磁性体７５の前端付近および磁性体７６の後端付近の各々の左側面が第一補助ヨーク５１の先端５３、５４から離間し、磁性体７５の前端付近および磁性体７６の後端付近の各々の右側面が中央ヨーク４１の前端部４２、後端部４３の左側面に当接して吸着している。第一磁石部材７１と中央ヨーク４１との吸着箇所を、第一吸着箇所と表す。
【００３９】
第二磁石部材８１は、磁性体８５の前端付近および磁性体８６の後端付近の各々の左側面が中央ヨーク４１の前端部４２、後端部４３の右側面から離間し、磁性体８５の前端付近および磁性体８６の後端付近の各々の右側面が第二補助ヨーク６１の先端６３、６４に吸着している。第二磁石部材８１と第二補助ヨーク６１との吸着箇所を、第二吸着箇所と表す。
【００４０】
図７に示す第一の状態では、中央ヨーク４１には磁束が前端部４２から後端部４３側に向いて流れている。つまり、第一磁石部材７１の永久磁石７３からの磁束が、磁性体７５から中央ヨーク４１の前端部４２に伝わり、それが中央ヨーク４１を後端部４３側に向いて流れて、上記中央ヨーク４１の後端部４３から第一磁石部材７１の磁性体７６に戻る経路で伝わっている。本実施の形態の構成では、中央ヨーク４１での磁束が、第二磁石部材８１側からの磁束で大きく阻害されないように各磁性体の材料選択をしていると共に、第一の状態で第二磁石部材８１からの磁束は第二補助ヨーク６１を介して再び第二磁石部材８１に戻る経路となるように構成している。
【００４１】
第一の状態から操作部材９５の操作部を左方向に水平に移動操作すると、操作部材９５が同方向に移動し、それに応じて平板バネ９３が左側に撓んでいく。
【００４２】
そして、第一および第二吸着箇所の和の力より平板バネ９３の撓んだバネ力が大きくなると、第一および第二吸着箇所が離れ、上記平板バネ９３の撓みを復元するように働くバネ力も操作された方向に向けて加わりつつ、駆動部材９１が瞬時に左側に移動する。つまり第一磁石部材７１と第二磁石部材８１とが同期して左側へ水平にスライド移動する。図８及び図９に示すように、第一磁石部材７１と第二磁石部材８１とが同期して左側へ水平にスライド移動した後の状態を以下、第二の状態と表す。
【００４３】
なお、その可動側部位の左側への移動途中位置からは、第一磁石部材７１の前端付近および後端付近の各々の左側面と第一補助ヨーク５１の先端５３および５４との間の吸引力、さらに、第二磁石部材８１の前端付近および後端付近の各々の左側面と中央ヨーク４１の前端部４２および後端部４３との間の吸引力も加わるようになり、これらの吸引力も駆動部材９１が瞬時に移動することに寄与している。
【００４４】
その後、第一磁石部材７１は、前端付近および後端付近の左側面が、第一補助ヨーク５１の先端５３および５４に当接して停止し、また、それと同時に、第二磁石部材８１は、前端付近および後端付近の左側面が、中央ヨーク４１の前端部４２および後端部４３の右側面に当接して、駆動部材９１の左側への移動が停止する（第二の状態）。そして、第二の状態では、平板バネ９３は、負荷がかかっていない状態に戻って、その平板バネ９３を介して操作部材９５は左側に位置している。第二の状態を図８および図９に示す。
【００４５】
第二の状態では、図８および図９に示したように、第一磁石部材７１の前端付近および後端付近の左側面と第一補助ヨーク５１の先端５３および５４とが吸着状態となり（第三吸着箇所）、第二磁石部材８１の前端付近および後端付近の左側面と中央ヨーク４１の前端部４２および後端部４３の右側面とが吸着状態となる（第四吸着箇所）。図９に示す、第一磁石部材７１と第一補助ヨーク５１との吸着箇所を、第三吸着箇所と表し、第二磁石部材８１と中央ヨーク４１との吸着箇所を、第四吸着箇所と表す。
【００４６】
これらの箇所が吸着状態となっていることにより、可動側部位が安定した停止状態で維持されることは通常状態（第一の状態）と同様である。
【００４７】
図８および図９に示す第二の状態では、中央ヨーク４１内で磁束の流れる方向が図６及び図７に示す第一の状態とは逆方向に瞬時に切り換わっている。つまり、第二の状態では、中央ヨーク４１には、磁束が後端部４３から前端部４２側に向いて流れている。第二磁石部材８１の永久磁石８３の磁束が、磁性体８６から中央ヨーク４１の後端部４３に伝わり、それが中央ヨーク４１内を前端部４２側に向いて流れて、上記中央ヨーク４１の前端部４２から第二磁石部材８１の磁性体８５に戻る経路で伝わる。
【００４８】
なお、第二の状態でも上記の中央ヨーク４１内での磁束が、第一磁石部材７１からの磁束で大きく阻害されることがないように各磁性体の材料選択をしている。さらに、第二の状態では、第一磁石部材７１からの磁束は第一補助ヨーク５１を介して再び第一磁石部材７１に戻る経路となるように構成している点についても、第一の状態の場合と同様である。
【００４９】
以上のように、本実施の形態では、第一の状態から可動側部位を水平にスライド移動させ、第二の状態にすると、中央ヨーク４１内での磁束の流れる方向が逆方向に切り換わる。この磁束の流れの切り換わりにより、中央ヨーク４１に配された誘導コイル４５には起電力が発生する。そして、誘導コイル４５に発生した起電力を誘導コイル４５のコイル線に接続された端子（図示せず）から取り出すことができる。ここに、固定側部位となる中央ヨーク４１に誘導コイル４５を配したものとすると、コイル線と端子との接続箇所などに不要な負荷がかからなく構成できるため好ましい。
【００５０】
上記の可動側部位が左側に移動されている第二の状態から、第一の状態に戻すときの動作は、左右対称で同様の動作となるために詳細説明は省略するが、上記の戻すときの動作時にも、中央ヨーク４１内では磁束の流れる方向が瞬時に逆方向に切り換わる。それに応じて誘導コイル４５には相応する起電力が発生し、その起電力を端子（図示せず）から取り出すことができる。
【００５１】
本実施の形態では図示していないが、駆動部材９１を左右にスライド移動させるためのガイド手段を設けている。そのガイド手段の構成は特に限定はされないが、簡素な構造が好ましい。例えば、当該構成では、駆動部材９１の枠状部分の角部位置上面および下面のそれぞれに上下に突出する案内用柱状部１００を設けて、カバー部材９７の天面に設けた左右方向に伸びる直線溝（図示せず）やケース３１の内底面に設けた左右方向に伸びる直線溝１０１の中で案内させる構成としている。なお、直線溝１０１は、案内用柱状部１００の挿通代を大きくとるために、貫通状態で設けられるなどされていてもよい。当該構成のガイド手段であれば、こじり操作状態の低減効果も期待できる。
【００５２】
また、当該構成のものでは、駆動部材９１の前後面の左右端部位置に、前後方向に突出する円柱状部１０３を設けたものとし、それらの円柱状部１０３をケース３１の前後の壁部に設けた段部上に支持させた構成とすることによって、駆動部材９１が水平状態で滑らかにスライド移動するものとしているが、これらの構成は必要に応じて適宜決定すればよい。他の例として、駆動部材９１の上下面側もしくは、ケース３１の内底面やカバー部材９７の下面側に球状突起を設けて、駆動部材９１が上下方向で略点接触状態になって当接摺動される構成などであっても駆動部材が水平状態で滑らかにスライド移動するものに構成できる。
【００５３】
以上のように、当該構成では、可動側部位を左右にスライド移動させて所定の起電力が取り出せるようにしたため、上下寸法の低背化が図られた発電装置に実現することができる。
【００５４】
なお、当該構成では、平板バネ９３からのバネ力が可動側部位の移動方向に向かって加わりつつ駆動部材９１が移動される構成のものを説明したが、その他の形状のバネ部材や弾性体などを用いて同様の作用効果が得られる構成としてもよい。または、操作ストロークが短い場合などには、上記平板バネ９３や弾性体などは必ずしも必要ではなく、それらをなくした構成などとしてもよい。
【００５５】
また、配設されたバネ部材や弾性体などにより、移動後の状態から可動側部位が通常状態へ自動復帰するように構成されていてもよい。
【００５６】
なお、以上には、中央ヨーク４１が固定状態で、第一磁石部材７１と第二磁石部材８１とが同期して水平にスライド移動する構成のものを説明したが、固定側部位と可動側部位が逆の設定になってもよい。すなわち、第一磁石部材７１と第二磁石部材８１とが固定状態で配され、それらの間に配された誘導コイル４５付き中央ヨーク４１が水平にスライド移動するように構成してもよい。
【００５７】
そして、固定側部位の第一補助ヨーク５１、第二補助ヨーク６１にも誘導コイルを配して、それらに生じる起電力も取り出せる構成のものとしてもよいし、固定側部位としては第一補助ヨーク５１、第二補助ヨーク６１が配されていない構成であってもよい。
【００５８】
なお、第一磁石部材７１と第二磁石部材８１の形状は、本実施の形態では、棒状のものを用いて説明したが、この形状に限定されない。第一磁石部材７１と第二磁石部材８１の形状は、例えば、中央ヨーク４１と同様に前端部、後端部を有する形状であってもよい。中央ヨーク４１については、本実施の形態では、前端部４２および後端部４３を有するものを用いて説明したが、この形状に限定されない。中央ヨークの形状は、例えば、前端部４２、後端部４３を有さない棒状の形状でもよい。
【００５９】
また、以上には、上下寸法が低背薄型で、左右方向に操作する操作部が後方に突出するものを説明したが、操作部を駆動部材９１の上面もしくは下面に一体化させて、上記操作部が上下方向に突出した形態のものなどに構成されていてもよい。さらには、上述構成のものを縦置き状態で配した横幅の狭い形態のものなどにも本発明による構成思想は適用することが可能である。
【産業上の利用可能性】
【００６０】
本発明による発電装置は、薄型化が図られたものに構成することができるという有利な効果を有し、各種電子機器や、それらを遠隔操作するための操作用機器、操作部位などに有用である。
【符号の説明】
【００６１】
３１    ケース
４１    中央ヨーク
４２    中央ヨークの前端部
４３    中央ヨークの後端部
４５    誘導コイル
５１    第一補助ヨーク
５３，５４    第一補助ヨークの先端
６１    第二補助ヨーク
６３，６４    第二補助ヨークの先端
７１    第一磁石部材
７３    第一磁石部材の永久磁石
７５，７６    第一磁石部材の磁性体
８１    第二磁石部材
８３    第二磁石部材の永久磁石
８５，８６    第二磁石部材の磁性体
９１    駆動部材
９３    平板バネ
９５    操作部材
９７    カバー部材
１００    案内用柱状部
１０１    直線溝
１０３    円柱状部
【手続補正２】
【補正対象書類名】特許請求の範囲
【補正対象項目名】全文
【補正方法】変更
【補正の内容】
【特許請求の範囲】
【請求項１】
第一磁石部材と、
前記第一磁石部材とＮ極側が逆方向に配置される第二磁石部材と、
前記第一磁石部材及び前記第二磁石部材との間に配置されるヨークと、
前記ヨークの外周に配置される誘導コイルと
を備えた発電装置であって、
前記第一磁石部材及び前記第二磁石部材が同期してスライド移動、または前記ヨークがスライド移動すると、前記ヨークに流れる磁束の方向が切り換わり、誘導コイルに起電力が発生することを特徴とする発電装置。
【請求項２】
請求項１記載の発電装置において、
前記ヨークは固定されている
ことを特徴とする発電装置。
【請求項３】
請求項１記載の発電装置において、
前記第一磁石部材及び前記第二磁石部材のスライド移動する方向に向けて、力を加えるバネ部材または、弾性部材をさらに備えた
ことを特徴とする発電装置。
【請求項４】
請求項１記載の発電装置において、
更に、第一補助ヨークと、
第二補助ヨークと
を備え、
前記第一磁石部材は、前記ヨークおよび前記第一補助ヨークとの間に位置し、
前記第二磁石部材は、前記ヨークおよび前記第二補助ヨークとの間に位置する
ことを特徴とする発電装置。
【請求項５】
請求項１記載の発電装置において、
前記第一磁石部材及び前記第二磁石部材は固定されている
ことを特徴とする発電装置。
【請求項６】
請求項５記載の発電装置において、
更に、第一補助ヨークと、
第二補助ヨークと
を備え、
前記第一磁石部材は、前記ヨークおよび前記第一補助ヨークとの間に位置し、
前記第二磁石部材は、前記ヨークおよび前記第二補助ヨークとの間に位置する
ことを特徴とする発電装置。
【手続補正３】
【補正対象書類名】図面
【補正対象項目名】全図
【補正方法】変更
【補正の内容】
【図１】
2013084409.tif 000013
【図２】
2013084409.tif 000014
【図３】
2013084409.tif 000015
【図４】
2013084409.tif 000016
【図５】
2013084409.tif 000017
【図６】
2013084409.tif 000018
【図７】
2013084409.tif 000019
【図８】
2013084409.tif 000020
【図９】
2013084409.tif 000021
【図１０】
2013084409.tif 000022
【国際調査報告】
2013084409.tif 000023
2013084409.tif 000024
2013084409.tif 000025
2013084409.tif 000026